(57)【要約】【課題】折り畳み及び展開自在であって、折り畳まれた状態でコンパクトであって、展開された状態で構造的に安定している干し物掛けを提供することを課題とする。【解決手段】干し物掛け（１）は、互いに離間動及び近接動可能な二つの支持部材（２’，２”）と、その二つの支持部材（２’，２”）のいずれかに対して一端部でヒンジによって取付けられた少なくとも一つの吊り下げ面体（９）と、その吊り下げ面体（９）より下方に配置された支え面体（１４）とを有し、少なくとも一つの吊り下げ面体（９）が他端部で支持部材（２’，２”）のいずれか他方に取り外し自在に連結できるよう構成した。【選択図】図２
2006075586.tif 000002
【特許請求の範囲】
【請求項１】
乾燥させる物品が吊り下げられる使用状態に展開自在であって、不使用状態で折り畳まれる展開及び折り畳み自在な干し物掛け（１）であって、
互いに離間動或いは近接動して干し物掛け（１）を展開状態或いは折り畳み状態にさせる第一の支持部材（２’）と第二の支持部材（２”）とを有する支持構造体と、
第一の端部（１０）で第一の支持部材（２’）にヒンジで取り付けられた少なくとも一つの吊り下げ面体（９）を有して、乾燥させる物品を吊り下げ保持する乾燥促進手段と、
吊り下げ面体（９）より下側に配置されて、干し物掛け（１）の展開動或いは折り畳み動に同期して展開或いは折り畳まれる支え面体（１４）を含み、乾燥される物品を支えるための手段とを有し、
前記干し物掛け（１）の展開状態において、前記吊り下げ面体（９）の第二の端部（１２）を前記第二の支持部材（２”）に対して取り外し自在に連結できるよう構成したことを特徴とする干し物掛け（１）。
【請求項２】
前記支持部材（２’，２”）が車輪（２０）を有している、請求項１に記載の干し物掛け（１）。
【請求項３】
前記第一及び第二の支持部材（２’，２”）を互いに連結するためのヒンジ付き連結手段（３）を有している、請求項１又は２に記載の干し物掛け（１）。
【請求項４】
前記ヒンジ付き連結手段（３）が、二つのロッド状部材（４）にて成る聖アンドレア十字架状構造を有している、請求項３に記載の干し物掛け（１）。
【請求項５】
前記聖アンドレア十字架状構造（３）の前記二つのロッド状部材（４）が中央部（４０）においてヒンジで接続されている、請求項４に記載の干し物掛け（１）。
【請求項６】
前記二つのロッド状部材（４）の各々が、第一の端部（５）と第二の端部（７）とを有し、前記第一の端部（５）が前記第一及び第二の支持部材（２’，２”）の一方にピン（６）を中心にして回転できるよう前記ピン（６）によって軸支され、前記第二の端部（７）が前記支持部材（２’，２”）に取付けられたガイド（８）に沿ってスライド可能に支持されている、請求項４に記載の干し物掛け（１）。
【請求項７】
前記吊り下げ面体（９）が堅固なフレーム構造を有している、請求項１〜６のいずれか一項に記載の干し物掛け（１）。
【請求項８】
前記吊り下げ面体（９）が、コードの一部が内側に配置される堅固なフレーム構造を有している、請求項１〜７のいずれか一項に記載の干し物掛け（１）。
【請求項９】
前記吊り下げ面体（９）が、ストリングが内部に配置される堅固なフレーム構造を有している、請求項１〜７のいずれか一項に記載の干し物掛け（１）。
【請求項１０】
前記吊り下げ面体（９）の両端部（１０，１２）が連結手段（１３）を介して前記支持部材（２’，２”）に取り外し自在に支持されている、請求項１〜９のいずれか一項に記載の干し物掛け（１）。
【請求項１１】
前記連結手段（１３）が、前記支持部材（２’，２”）に一体に設けられたピン（１３’）と、前記吊り下げ面体（９）に一体に設けられて、前記ピン（１３’）に引っ掛けられるフック部材（１３”）とを有している、請求項１０に記載の干し物掛け（１）。
【請求項１２】
前記支え面体（１４）が、柔軟な構造を有している、請求項１〜１１に記載の干し物掛け（１）。
【請求項１３】
前記柔軟な構造が、布と、前記支持部材（２’，２”）の離間動或いは近接動する方向と直交する水平方向へ前記布が折り畳まれないように前記布を維持するための剛直なバーとを有している、請求項１２に記載の干し物掛け（１）。
【請求項１４】
前記支え面体（１４）の端部（１５）が、前記ロッド状部材（４）の前記支持部材（２’，２”）の近傍部分に取付けられている、請求項４に記載の干し物掛け（１）。
【請求項１５】
前記支持構造が使用状態にされた時に、前記支え面体（１４）が展開されるようになっている、請求項１〜１４に記載の干し物掛け（１）。
【請求項１６】
前記支持構造が使用状態にされる時に、前記第一の支持部材（２’）と前記第二の支持部材（２”）との間に配置された前記連結手段（３）が、前記支え面（１４）を前記支持部材（２’，２”）の離反動に従って展開させる、請求項３に記載の干し物掛け（１）。
【請求項１７】
前記第一及び第二の支持部材（２’，２”）のいずれか一方に連結された少なくとも一つの第二の吊り下げ面体（１７）を更に有している、請求項１〜１６に記載の干し物掛け（１）。
【請求項１８】
前記少なくとも一つの吊り下げ面体（１７）が、内側にコード又はストリングの一部が配置される堅固なフレーム構造を有している、請求項１７に記載の干し物掛け（１）。
【請求項１９】
前記少なくとも一つの吊り下げ面体（１７）が、折り畳まれた不使用状態と展開された使用状態とになることができるよう回転自在にヒンジ（１８）で前記支持部材（２’，２”）の一方に連結されている、請求項１７に記載の干し物掛け（１）。
【請求項２０】
前記ヒンジ（１８）が、前記吊り下げ面体（１７）の展開された使用状態において、前記吊り下げ面体（１７）をロックするようになっている、請求項１９に記載の干し物掛け（１）。
【請求項２１】
前記干し物掛け（１）を移動させるための少なくとも一つの車輪を有している、請求項１〜２０に記載の干し物掛け（１）。
【請求項２２】
前記車輪が、前記車輪が回転するのを阻止するブレーキ手段を有している、請求項２１に記載の干し物掛け。
【請求項２３】
乾燥される物品を吊り下げ保持するための干し物留め（１００）であって、
第一のグリップ部材（１０２’）と、第二のグリップ部材（１０２”）と、それら第一のグリップ部材（１０２’）と第二のグリップ部材（１０２”）との間に配置されて、第一の接触面（１０５’）と第二の接触面（１０５”）とを備えたアバットメント部材（１０１）とを有し、
前記第一のグリップ部材（１０２’）が、第一の弾性部材（１０３’）によって少なくとも一つの接触部（１０４’）において前記アバットメント部材（１０１）の第一の接触面（１０５’）と当接するよう常時付勢され、前記第二のグリップ部材（１０２”）が、第二の弾性部材（１０３”）によって少なくとも一つの接触部（１０４”）において前記アバットメント部材（１０１）の前記第二の接触面（１０５”）と当接するよう常時付勢されていることを特徴とする干し物留め（１００）。
【請求項２４】
前記第一のグリップ部材（１０２’）の前記接触部（１０４’），前記第二のグリップ部材（１０２”）の前記接触部（１０４”）及び（又は）前記アバットメント部材（１０１）の前記第一及び第二の接触面（１０５’，１０５”）にローレットが付形されている、請求項２３に記載の干し物留め（１００）。
【請求項２５】
前記第一の弾性部材（１０３’）と前記第二の弾性部材（１０３”）とが、同一に構成されている、請求項２４に記載の干し物留め（１００）。
【請求項２６】
前記第一及び第二の弾性部材（１０３’，１０３”）の各々がコイルスプリングである、請求項２４に記載の干し物留め（１００）。
【請求項２７】
前記第一及び第二の弾性部材（１０３’，１０３”）の各々が板ばねである、請求項２４に記載の干し物留め（１００）。
【請求項２８】
前記第一及び第二の弾性部材（１０３’，１０３”）の各々がエラストマー材料にて構成された部分である、請求項２４に記載の干し物留め（１００）。
【請求項２９】
フック（１０７）を有している、請求項２４に記載の干し物留め（１００）。
【発明の詳細な説明】
【技術分野】
【０００１】
本発明は、通常乾燥させるために屋外に置かれる物品を保持するための干し物掛けに関するものである。この干し物掛けは、リネン製品、特にシーツ，テーブルクロス等のサイズの大きなリネン製品を保持できるよう構成されている。
【０００２】
衣服及びリネン製品を乾燥させるために置くことできるようにするために、ユーザが複数のコードやストリングを並列させて配置することを許容する干し物掛けを用いることが知られている。こうして、限定された寸法を持ったかなり長い全長のストリングを配置することができる。
【発明の開示】
【発明が解決しようとする課題】
【０００３】
然しながら、公知の干し物掛けは、いくつかの欠点を有している。実際に、公知の干し物掛けの構造では、シーツ及びテーブルクロス等のサイズの大きなリネン製品を掛けるのはかなり困難である。
【０００４】
そのようなことから、大きいサイズのリネン製品を簡単に掛けることを可能にする干し物掛けの必要性が生じている。
【０００５】
支持面体を備えることによりストリングに製品を掛ける作業をし易くさせる干し物掛けの必要性も生じている。
【０００６】
究極的には、畳まれた状態でコンパクトであって、展開された状態で構造的に安定している干し物掛けを確保することの必要性が生じている。
【０００７】
本発明の目的は、従来の干し物掛けに関連して上述した欠点を解消するような構造上及び機能上の特徴を発揮する干し物掛けを提供することにある。
【課題を解決するための手段】
【０００８】
そのような課題は請求項１に記載の干し物掛けによって解決される。
【０００９】
本発明に係る干し物掛けの更なる特徴及び利点については、添付図面を参照して後述する、好適で非限定的な実施形態に関する説明を参照することにより明確になるであろう。
【発明を実施するための最良の形態】
【００１０】
添付図面を参照すると、参照符号１は、本発明に係る干し物掛けを示す。図示の干し物掛け１は、第一の支持部材２’と第二の支持部材２”とにより成る支持構造体を有している。
【００１１】
支持構造体は二つの異なった形態を呈するように構成されている。第一の形態即ち不使用時の形態が図１に示され、第二の形態即ち使用時の形態が図２〜図５ｃに示されている。
【００１２】
二つの支持部材２’，２”は、不使用時状態において互いに隣接した状態となり、使用状態においては互いに離間した状態となる。
【００１３】
本発明に係る干し物掛けの好ましい実施形態に依れば、支持部材２’，２”は、干し物掛けの移動を可能にすると共に支持構造体が展開動作するのに役立つ車輪２０を底部に備えている。
【００１４】
また、好ましい実施形態においては、車輪２０をロックして車輪２０の回転を規制することによって支持構造体の移動を阻止するための何らかのブレーキ手段を設けることもできる。
【００１５】
茲で、車輪２０がロックされていない状態を示した図１ａ及び図１ｂを参照すると、車輪２０は、略キャップ状の一対の車輪部材２００と、その一対の車輪部材２００の間に配置されて支持構造体の底面に取付けられたフレーム状の支持部材２０１とを有し、一対の車輪部材２００はシャフト２０２によって支持部材２０１に対して回転自在に支持されている。より詳述すると、一対の車輪部材２００はそれらの内部空間が互いに向き合って嵌め合わされた状態で支持部材２０１に対して回転自在に支持されている。
【００１６】
ブレーキ手段は、各車輪部材２００の内周面に沿って付形された略鋸歯状部５０と、フレーム状支持部材２０１に対して回転自在に支持された操作レバー５２とを有している。より詳述すると、フレーム状支持部材２０１は長尺なスロット２０１’を有している。操作レバー５２の一端部はスロット２０１’を介してフレーム状支持部材２０１内に挿入されてピン５２ａによって回転自在に支持部材２０１に対して支持されている。操作レバー５２の他端部はスロット２０１’を介して支持部材２０１より外方へ突出している。操作レバー５２は、図１ｂの紙面に直交する方向へ延びてフレーム状支持部材２０１を貫通して両端部で一対の車輪部材２００の内部に突出した係合ピン５２ｂを有している。操作レバー５２がピン５２ａを中心にして、図１ｂ中に矢印で示された方向へ回転させられた時に、係合ピン５２ｂが車輪部材２００の内周面に形成された略鋸歯状部５０と図１ｃに示したように係合し、それによって車輪２０の回転が阻止される。また、図１ｃに示された状態で、操作レバー５２を反対方向へ回転させると、係合ピン５２ｂが略鋸歯状部５０から離脱することにより、車輪２０は回転できるようになる。
【００１７】
また、本発明に係る物干し掛けの好ましい実施形態に依れば、支持構造体は、二つの支持部材２’，２”の間に、ヒンジの付いた連結手段３を更に有している。そのようなヒンジの付いた連結手段３としては、例えば、聖アンドレア十字架状のヒンジ付き構造（Ｓｔ．  Ａｎｄｒｅｗ’ｓ  ｃｒｏｓｓ−ｓｈａｐｅｄ  ｈｉｎｇｅｄ  ｓｔｒｕｃｔｕｒｅ）を用いることができる。
【００１８】
聖アンドレア十字架状のヒンジ付き構造は、中央部４０においてヒンジが付けられた二本のロッド状部材４を有している。各ロッド状部材４は、下端部５においてピン６によって支持部材２’，２”に連結されていて、そのピン６を中心に回転自在になっている。また、各ロッド状部材４の上端部７は、支持部材２’，２”に設けられたガイド８に沿ってスライド移動できるように支持部材２’，２”に支持されている。
【００１９】
上述した支持構造体は、展開された状態即ち使用状態で干し物掛けに対して際立った安定性を発揮させると共に、不使用時に干し物掛けが極めてコンパクトに折り畳まれることを可能にする。
【００２０】
干し物掛けは、ユーザが一般に乾燥させるために屋外に置くことを望む物品を受けるための乾燥促進手段を更に有している。
【００２１】
本発明の好ましい実施形態においては、そのような乾燥促進手段は少なくとも一つの吊り下げ面体９を有している。好ましくは、そのような吊り下げ面体９は、乾燥させるリネン製品と接触するコード又はストリング９ａが公知の態様で内側に配置されるようになっている堅固なフレーム構造体となっている。その吊り下げ面体９は、一端部１０において第一の支持部材２’にピン１１で軸支されて、そのピン１１を中心に回転自在となっている。吊り下げ面体９の他端部１２は、解放自在な連結手段によって第二の支持部材２”に対して取り外し自在に連結されている。
【００２２】
図２は、干し物掛けが展開され、吊り下げ面体９が折り畳まれた状態を示した図である。この状態においては、吊り下げ面体９は一方の支持部材２’にのみ連結されていて、リネン製品を支持できる状態になっていない。
【００２３】
他方、図３〜図５ａ，ｂ，ｃは、吊り下げ面体９が支持部材２’，２”双方に連結されて、リネン製品を支持できるように展開された状態を示した図である。
【００２４】
本発明に係る干し物掛けの実施形態に依れば、解放自在な連結手段１３は、支持部材２”に一体に形成されたピン１３’と、吊り下げ面体９に一体に形成されてピン１３’に引っ掛けられるフック部材１３”とを有している。
【００２５】
本発明の好ましい実施形態においては、吊り下げ面体９の両端部１０，１２を連結手段１３によって支持部材２’，２”に対して着脱自在に連結するように構成することもできる。
【００２６】
上述したことから、本発明に依る干し物掛けの支持構造体によって、干し物掛けが、折り畳まれた状態で非常にコンパクトにされると共に、展開された状態において極めて安定化したものとなることを当業者は明確に理解できるであろう。実際に、堅固な構造を備えた吊り下げ面体９が両方の支持部材２’，２”と連結された時に、それら支持部材と相俟って支持構造全体の強度を強化させる。
【００２７】
干し物掛けは、乾燥させるために吊り下げられる物品を支えるための手段を更に有している。その手段は、吊り下げ面体９より下方に配置されている支え面体１４を有している。この支え面体１４も、吊り下げ面体９と同様に、（図１に示した）畳まれた状態から（図２，３及び４に示した）展開された状態に変化させることができるように折り畳み及び展開自在に構成されている。
【００２８】
好ましい実施形態に依れば、支え面体１４は、干し物掛けの支持構造体が使用状態に動かされた時に、展開できるような柔軟な材料、例えば、布、好ましくは、プラスチック又は合成材料にて構成されている。
【００２９】
また、例えば、支え面体１４の両端部１５を、ロッド状部材４の端部７の近傍位置でロッド部材に取り付けるように構成することができる。こうして、聖アンドレア十字架状構造体は、支持部材２’，２”が接近及び離反する方向に従って支え面体１４を折り畳み及び展開させることができる。小さい剛直なバー１６を支え面体１４の両端部１５に取付けることにより、支え面体１４が支持部材２’，２”の互いに接近及び離反する方向と直交する水平方向に折れ曲がることのないように支え面体１４を維持している。
【００３０】
好ましい実施形態に依れば、本発明による干し物掛けは、吊り下げ面体９に加えて、少なくとも一つの他の吊り下げ面体１７、好ましくは、多数の他の吊り下げ面体１７を有している。それら多数の吊り下げ面体１７は、乾燥させるリネン製品と接触するコード又はストリングが公知の形態で内側に配置されるようになっている堅固なフレーム構造体であるのが好ましい。各吊り下げ面体１７は、ヒンジ１８によって支持部材２’又は２”に連結されている。それ自体公知のヒンジ１８によって、ユーザは、各吊り下げ面体１７を（図１，２，３及び５ａ，５ｂ，５ｃに示した）折り畳まれた不使用状態から（図４に示した）展開された状態にさせるように回転させて、その展開位置で側方へ突出した状態にロックさせることができるよう構成されている。
【００３１】
本発明に依る干し物掛けが従来の干し物掛けの欠点を解消することができるものであることは、上述したところから理解できるであろう。
【００３２】
また、本発明に依る干し物掛けの乾燥促進手段がリネン製品、特にシーツやテーブルクロス等のようなサイズの大きいリネン製品を保持するのに特に好適であることを、当業者は上述したところにより特に理解できるであろう。
【００３３】
更に、支え面体が存在することにより、リネン製品を乾燥させるために配置させ易くなることも当業者は理解できるであろう。
【００３４】
また、本発明に依る干し物掛けの特別な構造が、折り畳まれた不使用状態でコンパクトとなり、展開された使用状態において構造上安定していることも、当業者は同時に理解できるであろう。
【００３５】
本発明に依る干し物掛けと共に、図６〜７ｃに示したタイプの干し物留めを用いると特に有益である。以下、「干し物留め」とは、吊り下げられる製品、例えば、乾燥させるために屋外に置かれるリネン製品を把持するための器具を意味する。
【００３６】
乾燥させるための衣服やリネン製品を吊り下げ又は保持するために、干し物留めを用いることは知られている。
【００３７】
公知の干し物留めとしては、弾性手段によって一方が他方に対して当接された二つの部材を有するものが知られている。
【００３８】
然しながら、そのような従来の干し物留めはいくつかの欠点を有している。実際に、従来の干し物留めにおいては、その干し物留めを開かせると、干し物留めによって把持されていた製品に対する把持力が失われる。第一の製品が従来の干し物留めによって干し物掛けに吊り下げられていて、第二の製品又は同じ製品の縁部を同じポイントで吊り下げなければならない場合に、干し物留めを再び開く必要があり、それは第一の製品に対する把持力を失わせる虞がある。
【００３９】
上述したことから、複数の製品又は同一製品の異なった縁部を干し物掛けの一つのポイントに吊り下げることの可能な干し物留めを確保することの必要性が生じていることは明らかである。
【００４０】
本発明の別の目的は、従来の干し物留めに関連して上述した欠点を解消できるような構造上及び機能上の特徴を有する干し物留めを提供することにある。
【００４１】
そのような課題は、請求項２３に記載の干し物留めによって達成される。
【００４２】
本発明に依る干し物留めの更なる特徴及び利点は、図６〜７ｃを参照して後述する、好適で非限定的な実施形態に関する説明を参照することにより明確になるであろう。
【００４３】
図中において参照符号１００で示した本発明に依る干し物留めは、中央アバットメント１０１と、二つの異なったグリップ部材１０２’，１０２”とを有している。各グリップ部材は、リネン製品と接触する接触部１０４’（又は１０４”）と、干し物留めを開閉成させるためにユーザによって操作されるコントロール部１０６’（又は１０６”）とを有している。
【００４４】
グリップ部材１０２’，１０２”の各々は、それらの接触部１０４’，１０４”が中央アバットメント１０１の両側の各接触面１０５’，１０５”と夫々当接するように弾性手段１０３’，１０３”によって常時付勢されている。それ自体知られた方法で、弾性手段１０３’，１０３”による付勢力に抗した力をユーザがコントロール部１０６’，１０６”に加えた時に、干し物留め１００は開成される。
【００４５】
好ましくは、接触部１０４’，１０４”及び（又は）接触面１０５’，１０５”には、ローレットが付形されていて、それにより、リネン製品に対する把持力が増強され、リネン製品が濡れていてもリネン製品が干し物留めより離脱するのを防止する。
【００４６】
それ自体公知の弾性手段１０３’，１０３”としては、コイルスプリング，板ばね，エラストマー材料にてなる部分又は特別なニーズに応えられる好適なその他の均等物を用いることができる。
【００４７】
本発明に係る実施形態に依れば、そのような弾性部材１０３’，１０３”は同一に構成されている。
【００４８】
また、好ましい実施形態に依れば、干し物留め１００は、干し物留め１００とその干し物留めによって把持されている何らかの物品を、通常干し物掛けによって提供される特別な支持部材に引っ掛けるためのフック部１０７を有している。このフック部１０７は、中央アバットメント１０１の上端部に形成されている。
【００４９】
上述したところから、本発明に依る干し物留めが従来技術の欠点を解消するものであることを理解することができる。実際に、本発明に依る干し物留めは、互いに別個の機能である、物品を把持することと、それを一つのポイントに定置させることとの二つの機能を可能にするもので、非常に万能である。
【００５０】
特別な及び付随的な必要性に応えるべく、当業者が、請求の範囲に記載の発明の要旨を逸脱することなく、本発明に依る干し物掛け及び干し物留めの好ましい実施形態の要素を変更し、調整し及び機能的に均等なものと置き換えることができることは明らかである。
【図面の簡単な説明】
【００５１】
【図１】折り畳まれた状態の、本発明に依る干し物掛けを示した斜視図である。
【図１ａ】ロックされていない状態の車輪を示した拡大斜視図である。
【図１ｂ】車輪を構成する一対の車輪部材の一方を取り除いた状態の、図１ａの車輪の拡大側面図である。
【図１ｃ】ロックされた状態を示した、図１ｂの車輪の拡大側面図である。
【図２】図１に示した干し物掛けの第一の展開状態を示した斜視図である。
【図３】図１に示した干し物掛けの第二の展開状態を示した斜視図である。
【図４】図１に示した干し物掛けの第三の展開状態を示した斜視図である。
【図５ａ】図３に示した状態の干し物掛けの側面図である。
【図５ｂ】図３に示した状態の干し物掛けの正面図である。
【図５ｃ】図３に示した状態の干し物掛けの平面図である。
【図６】本発明に係る干し物留めの斜視図である。
【図７ａ】図６に示した干し物留めの側面図である。
【図７ｂ】図６に示した干し物留めの正面図である。
【図７ｃ】図６に示した干し物留めの平面図である。
【符号の説明】
【００５２】
１                  干し物掛け
２’，２”            干し物掛けの支持部材
９                  吊り下げ面体
１４                支え面体
２０                車輪
１００              干し物留め
１０１              干し物留めのアバットメント部材
１０２’，１０２”    干し物留めにグリップ部材
１０４’，１０４”    グリップ部材の接触部
１０５’，１０５”    アバットメント部材の接触面
【図１】
2006075586.tif 000003
【図１ａ】
2006075586.tif 000004
【図１ｂ】
2006075586.tif 000005
【図１ｃ】
2006075586.tif 000006
【図２】
2006075586.tif 000007
【図３】
2006075586.tif 000008
【図４】
2006075586.tif 000009
【図５ａ】
2006075586.tif 000010
【図５ｂ】
2006075586.tif 000011
【図５ｃ】
2006075586.tif 000012
【図６】
2006075586.tif 000013
【図７ａ】
2006075586.tif 000014
【図７ｂ】
2006075586.tif 000015
【図７ｃ】
2006075586.tif 000016